(57)【要約】      （修正有）【課題】スイッチ型充電器構造を提供する。【解決手段】筐体と、回路板２０と、電気プラグと、電極線コネクタ３０と、ユニバーサル・シリアル・バス・ソケット４０と、電源ランプ５０とを含む。筐体上には、ユニバーサル・シリアル・バス・ソケット開口部１１１が設けてある。回路板２０は、筐体内に対応して結合する。２つの電極線コネクタ３０は、筐体下方に結合し、かつ回路板２０に接続する。ユニバーサル・シリアル・バス・ソケット４０は、筐体のユニバーサル・シリアル・バス・ソケット開口部１１１に対応して結合し、かつ回路板２０と電気的に接続する。電源ランプ５０は、前記筐体上に配置され、前記回路板２０と電気的に接続し、電源のオンオフ状態を示す。これによって、本来の壁上のスイッチボックスにＤＣ給電機能を追加し、使いやすく、使用寿命が長い。【選択図】図２
0003153794.tif 000002
【実用新案登録請求の範囲】
【請求項１】
少なくとも１つのユニバーサル・シリアル・バス・ソケット開口部が設けてある筐体と、
該筐体内に対応して結合した少なくとも１つの回路板と、
該筐体下方に結合し、かつ該少なくとも１つの回路板と接続した２つの電極線コネクタと、
該筐体のユニバーサル・シリアル・バス・ソケット開口部に対応して結合し、かつ少なくとも１つの回路板と電気的に接続する少なくとも１つのユニバーサル・シリアル・バス・ソケットと、
該筐体上に配置され、該少なくとも１つの回路板と電気的に接続し、電源のオンオフ状態を示す電源ランプと、
を含むことを特徴とする、スイッチ型充電器構造。
【請求項２】
該筐体は、上筐体と下筐体とが設けてあり、該上筐体と下筐体とは相互に結合し、該２つの電極線コネクタは、該下筐体の下方に結合し、該筐体上の少なくとも１つのユニバーサル・シリアル・バス・ソケット開口部は、該上筐体上に設けられ、ユニバーサル・シリアル・バス・プラグを抜き差しできるようにしたことを特徴とする、請求項１に記載のスイッチ型充電器構造。
【請求項３】
該上筐体上の少なくとも１つのユニバーサル・シリアル・バス・ソケット開口部に、保護用の保護カバーがさらに設けてあることを特徴とする、請求項２に記載のスイッチ型充電器構造。
【請求項４】
該上筐体上に、電源ランプを露出させるための円孔部を有することを特徴とする、請求項２または３に記載のスイッチ型充電器構造。
【請求項５】
該電源ランプがＬＥＤランプであることを特徴とする、請求項１に記載のスイッチ型充電器構造。
【請求項６】
該上筐体と下筐体とが、２本の金具留め具で相互に結合し、取り外しと固定に便利であることを特徴とする、請求項２に記載のスイッチ型充電器構造。
【請求項７】
該筐体をスイッチボックス上にさらに結合し、該スイッチボックス上には、スイッチが設けてあり、かつ該スイッチは、該筐体の該少なくとも１つの回路板と電気的に接続し、電源ランプのオンオフを制御し、電源のオンオフ状態を示すことができるようにすることを特徴とする、請求項１に記載のスイッチ型充電器構造。
【考案の詳細な説明】
【技術分野】
【０００１】
本考案は、スイッチ型充電器構造に係り、特に筐体と、少なくとも１つの回路板と、電気プラグと、２つの電極線コネクタと、少なくとも１つのユニバーサル・シリアル・バス・ソケットと、電源ランプとの組み合わせにより設計されるスイッチ型充電器構造に関するものである。本来の壁上のスイッチボックスにＤＣ給電機能を追加し、使いやすく、使用寿命が長いなどの効果を有し、各種のスイッチボックスまたは類似の構造に適している。
【背景技術】
【０００２】
公知の壁上のスイッチ構造は、筐体と、スイッチと、少なくとも１つのＡＣソケットとの組み合わせからなる。しかしながら、前記スイッチ制御ＡＣソケットは、ＡＣ電気製品には使用可能であるが、ＤＣ電源を必要とするその他の製品で使用可能なＤＣ電源出力はない。ＤＣ電源を必要とする場合は、ＡＣをＤＣに変換する電源アダプタを使用する必要がある。かつ、抜き差しを繰り返す必要があり、使用は不便であり、かつ抜き差しを繰り返すため、配線が複雑になりやすく、面倒である。そのため、実際の使用において、使用者の需要に適合せず、かつこうした総合機能製品は市販されていない。
【考案の概要】
【考案が解決しようとする課題】
【０００３】
本考案の主な目的は、筐体の仕様が一般のスイッチボックスの電源ソケットの仕様の大きさに適合しているため、本来の壁上のスイッチボックスに機能を追加し、使いやすくすることにより、使用の全体的な便利さを大幅に向上させた、筐体と、少なくとも１つの回路板と、電気プラグと、２つの電極線コネクタと、少なくとも１つのユニバーサル・シリアル・バス・ソケットと、電源ランプとの組み合わせにより設計されたスイッチ型充電器構造を提供することである。
【０００４】
本考案のもう１つの目的は、本来の壁上のスイッチボックスにＤＣ給電を追加し、ＡＣまたはＤＣ電源を同時に提供可能であり、ＤＣまたはＡＣ電源のみを提供することもでき、任意に組み合わせて使用可能であり、本来の壁上のスイッチボックスに多くの機能をもたせることにより、使用の全体的な便利さを大幅に向上させた、筐体と、少なくとも１つの回路板と、電気プラグと、２つの電極線コネクタと、少なくとも１つのユニバーサル・シリアル・バス・ソケットと、電源ランプとの組み合わせにより設計されたスイッチ型充電器構造を提供することである。
【０００５】
本考案のもう１つの目的は、本来の壁上のスイッチボックスがＡＣまたはＤＣ電源を同時に提供可能にし、ＤＣまたはＡＣ電源のみを提供することもでき、任意に組み合わせて使用可能であり、電源アダプタが別途なくても共用できるようにし、かつ電源変換コードおよび電源アダプタの抜き差しの繰り返しおよび繁雑なコードの整理を少なくし、その使用寿命を増進することにより、使用の全体的な実用性を大幅に向上させた、スイッチ型充電器構造を提供することである。
【課題を解決するための手段】
【０００６】
前記の目的を達成するため、本考案は、筐体と、少なくとも１つの回路板と、電気プラグと、２つの電極線コネクタと、少なくとも１つのユニバーサル・シリアル・バス・ソケットと、電源ランプとを含むスイッチ型充電器構造である。前記筐体上には、少なくとも１つのユニバーサル・シリアル・バス・ソケット開口部が設けてある。前記少なくとも１つの回路板は、前記筐体内に対応して結合する。前記２つの電極線コネクタは、前記筐体下方に結合し、かつ前記少なくとも１つの回路板に接続する。前記少なくとも１つのユニバーサル・シリアル・バス・ソケットは、前記筐体のユニバーサル・シリアル・バス・ソケット開口部に対応して結合し、かつ前記少なくとも１つの回路板と電気的に接続する。前記電源ランプは、前記筐体上に配置され、前記少なくとも１つの回路板と電気的に接続し、電源のオンオフ状態を示す。これによって、本来の壁上のスイッチボックスにＤＣ給電機能を追加し、使いやすく、使用寿命が長くすることにより、全体的な実用性および便利さを増加させる。
【０００７】
本考案の前記およびその他の目的および長所は、下記の選定された実施例の詳細な説明および図面において、さらに理解することができる。
【０００８】
当然、本考案は、別の案件において、または別の案件のレイアウトにおいて、異なるものを許容することができるが、選定された実施例について本明細書において詳細に説明し、図面においてその構造を示す。
【図面の簡単な説明】
【０００９】
【図１】本考案の実施例の立体外観図である。
【図２】本考案の実施例の立体素子分解図である。
【図３】本考案の実施例の結合断面概略図である。
【図４】本考案の実施例および壁上のスイッチと組み合わせて使用した状態の概略図である。
【図５】本考案の実施例および壁上のスイッチと組み合わせて使用した保護カバーを開いた状態の概略図である。
【図６】本考案のもう１つの実施例および壁上のスイッチと組み合わせて使用した状態の概略図である。
【図７】本考案のもう１つの実施例および壁上のスイッチと組み合わせて使用した保護カバーを開いた状態の概略図である。
【図８】本考案のさらにもう１つの実施例および壁上のスイッチと組み合わせて使用した状態の概略図である。
【図９】本考案のさらにもう１つの実施例および壁上のスイッチと組み合わせて使用した保護カバーを開いた状態の概略図である。
【考案を実施するための形態】
【００１０】
図１〜３に示すとおり、本考案はスイッチ型充電器構造である。前記スイッチ型充電器構造は、少なくとも１つのユニバーサル・シリアル・バス・ソケット開口部１１１が設けてある筐体１０と、筐体１０内に対応して結合した少なくとも１つの回路板２０（本実施例では、３枚の回路板２０を採用する）と、筐体１０下方に結合し、かつ少なくとも１つの回路板２０と接続し、電源の入力制御または延伸を行う２つの電極線コネクタ３０と、筐体１０のユニバーサル・シリアル・バス・ソケット開口部１１１に対応して結合し、かつ少なくとも１つの回路板２０と電気的に接続する少なくとも１つのユニバーサル・シリアル・バス（ＵＳＢ：Ｕｎｉｖｅｒｓａｌ  Ｓｅｒｉａｌ  Ｂｕｓ）ソケット４０と、筐体１０上に配置され、少なくとも１つの回路板２０と電気的に接続し、電源のオンオフ状態を示し、ＬＥＤランプとすることができ、少なくとも１つのユニバーサル・シリアル・バス・ソケット４０の通電が正常になった後に点灯する電源ランプ５０と、を含む。
【００１１】
筐体１０には、上筐体１１と下筐体１２とが設けてある。上筐体１１と下筐体１２とは相互に結合する。２つの電極線コネクタ３０は、下筐体１２の下方に結合する（ＡＣ電源線に並列接続し、２本の電極線コネクタ３０の中に入れて固定する）。筐体１０上の少なくとも１つのユニバーサル・シリアル・バス・ソケット開口部１１１は、上筐体１１上に設けられ、ユニバーサル・シリアル・バス・プラグを抜き差しできるようにする。上筐体１１上の少なくとも１つのユニバーサル・シリアル・バス・ソケット開口部１１１には、保護用の保護カバー１３がさらに設けてある。上筐体１１上には、電源ランプ５０を露出させるための円孔部１１２がある。また、上筐体１１と下筐体１２とは、２本の金具留め具６０で相互に結合し、本来のスイッチボックスの中に固定することができ、取り外しと固定に便利である。
【００１２】
また、使用時に、筐体１０は、スイッチボックス７０上にさらに結合可能である（図１〜９参照）。スイッチボックス７０上には、スイッチ７１が設けてあり、かつスイッチ７１は、筐体１０の少なくとも１つの回路板２０と電気的に接続し、電源ランプ５０のオンオフを制御し、電源のオンオフ状態を示すことができるようにする。スイッチ７１が入っているときに、電源ランプ５０は点灯し、少なくとも１つのユニバーサル・シリアル・バス・ソケット４０が電源出力を有することを示す。保護カバー１３を開くと、ＵＳＢ類の電源を必要とする製品を接続して使用することができる。使い終わった後は、ケーブルを抜き、保護カバー１３を閉じ、スイッチ７１を切ることができる。このとき、電源ランプ５０は消え、少なくとも１つのユニバーサル・シリアル・バス・ソケット４０の出力電源が切られる。かつ、使用時に、スイッチボックス７０上に電源ソケット７２を増設することも、スイッチボックス７０上に、保護カバー１３が設けてあるスイッチ型充電器構造をさらに増設することもできる。
【００１３】
前記構造を介して、スイッチ型充電器構造を構成する。図１〜９に示すとおり、本考案の特徴は、筐体１０と、少なくとも１つの回路板２０と、２つの電極線コネクタ３０と、少なくとも１つのユニバーサル・シリアル・バス・ソケット４０と、電源ランプ５０との組み合わせにより設計されることである。前記スイッチ型充電器構造の筐体１０の仕様は一般のスイッチボックス７０の電源ソケットの仕様の大きさに適合しているため、本来の壁上のスイッチボックス７０に追加機能をもたせることができ（ＤＣ給電を追加し、ＡＣまたはＤＣ電源を同時に提供することも、ＤＣまたはＡＣ電源のみを提供することもでき、任意に組み合わせて使用可能であり、本来の壁上のスイッチボックスに多くの機能をもたせることにより、使用の全体的な便利さを大幅に向上させる。）、使いやすさを増加させることにより、使用の全体的な便利さを大幅に向上させる。本考案の組み合わせによる設計は、ＡＣをＤＣに変換する電源アダプタを必要とせず、その他の電源変換コードおよび電源アダプタの抜き差しの繰り返しによる破損を防止することができる。繁雑なコードの整理も必要なく、その使用寿命を増進することにより、使用の全体的な実用性を大幅に向上させる。本考案は、本来の壁上のスイッチボックスにＤＣ給電機能を追加し、使いやすく使用寿命が長いなどの効果をもたせ、全体的な実用性および便利さを増加する。
【００１４】
以上の詳細な説明により、当業者は本考案が前記目的を的確に達成可能であることを理解することができ、実用新案法の規定に適合している。
【００１５】
以上の内容は、本考案の好ましい実施例でしかなく、本考案の実施の範囲を限定するものではない。そのため、本考案の実用新案登録請求の範囲および考案の明細書の内容により行われた簡単な同等の変更および修正は、いずれも本考案の範囲内に属す。
【符号の説明】
【００１６】
１０        筐体
１１        上筐体
１１１      ユニバーサル・シリアル・バス・ソケット開口部
１１２      円孔部
１２        下筐体
１３        保護カバー
２０        回路板
３０        電極線コネクタ
４０        ユニバーサル・シリアル・バス・ソケット
５０        電源ランプ
６０        金具留め具
７０        スイッチボックス
７１        スイッチ
７２        電源ソケット
【図１】
0003153794.tif 000003
【図２】
0003153794.tif 000004
【図３】
0003153794.tif 000005
【図４】
0003153794.tif 000006
【図５】
0003153794.tif 000007
【図６】
0003153794.tif 000008
【図７】
0003153794.tif 000009
【図８】
0003153794.tif 000010
【図９】
0003153794.tif 000011